(57)【特許請求の範囲】
【請求項１】
無線通信ネットワークのアクセス・ネットワーク・インフラストラクチャの無線アクセスポイントの動作を管理する方法であって、前記アクセス・ネットワーク・インフラストラクチャは、両方が無線インターフェースを介してユーザ機器と通信できる、前記アクセス・ネットワーク・インフラストラクチャへの第１および第２無線アクセスポイントを含み、前記第１無線アクセスポイントの無線カバレージは、前記第２無線アクセスポイントの無線カバレージ内に少なくとも部分的に含まれ、前記第１無線アクセスポイントは、パイロット信号を送信しない動作モードで動作することができ、前記方法は、
前記第１無線アクセスポイントが、該第１無線アクセスポイントにおける受信を前記第２無線アクセスポイントに同期させるステップと、
前記第１無線アクセスポイントが、該第１無線アクセスポイントのパイロット信号を送信しない前記動作モードに切り替えるステップと、
前記第１無線アクセスポイントが、
ユーザ機器によって前記第２無線アクセスポイントに向かって送信されるランダム・アクセス要求信号の受信の後に、
又は、
前記第２無線アクセスポイント宛の接続セットアップ要求の受信の後に、
前記第１無線アクセスポイントが、パイロット信号を送信していない前記動作モードから脱することを決定するステップと、
を含む、方法。
【請求項２】
前記第１無線アクセスポイントは、前記セットアップ要求を開始した前記機器との接続セットアップ手順を継続する、請求項１に記載の方法。
【請求項３】
前記セットアップ要求を開始した前記ユーザ機器は、前記第１アクセスポイントが前記接続セットアップ手順を遂行することを示すメッセージを受信したときには、前記第２無線アクセスポイントとの接続セットアップ手順を放棄する、請求項２に記載の方法。
【請求項４】
前記セットアップ要求を開始した前記機器は、前記第１アクセスポイントとの前記接続セットアップ手順を継続する、請求項２または３のいずれか１項に記載の方法。
【請求項５】
前記セットアップ要求を開始した前記機器は、前記第１アクセスポイントとの新しい接続セットアップ手順を開始する、請求項２または３のいずれか１項に記載の方法。
【請求項６】
前記ユーザ機器は、ランダム要求信号および／または接続セットアップ要求を前記第２無線アクセスポイントに送信する前に、その第２アクセスポイントを識別する、請求項１に記載の方法。
【請求項７】
前記第１無線アクセスポイントがパイロット信号を送信しない前記動作モードは、前記第１無線アクセスポイントがいかなる信号をも送信しない動作モードであり、前記第１無線アクセスポイントは、このモードで動作することができる、請求項１乃至６のいずれか１項に記載の方法。
【請求項８】
前記無線通信ネットワークは、セルラ・タイプのネットワークであり、前記第１無線アクセスポイントは、ホーム・アクセス・ノードまたは「フェムト」アクセス・ノード内に含まれ、前記第２無線アクセスポイントは、前記セルラ無線通信ネットワークの前記アクセス・ネットワーク・インフラストラクチャの基地局内に含まれる、請求項１乃至７のいずれか１項に記載の方法。
【請求項９】
前記第１無線アクセスポイントの無線カバレージ・エリアは、前記第２アクセスポイントの無線カバレージ内に実質的に完全に含まれる、請求項１乃至８のいずれか１項に記載の方法。
【請求項１０】
無線通信ネットワークのアクセス・ネットワーク・インフラストラクチャと通信できるデバイスであって、
無線通信ネットワークの前記アクセス・ネットワーク・インフラストラクチャのユーザ機器と無線インターフェースを介して通信する手段と、
前記デバイスがいかなるパイロット信号をも送信しない動作モードへの切替およびその動作モードからの離脱を制御するように構成された動作モードを管理する手段と、
接続セットアップ要求を受信するように構成されたユーザ機器との接続セットアップを管理する手段と、
受信中に無線通信ネットワークの前記アクセス・ネットワーク・インフラストラクチャの無線アクセスポイントと同期する手段とを含み、
前記デバイスの無線カバレージは、前記無線アクセスポイントの無線カバレージ内に少なくとも部分的に含まれ、
前記動作モードを管理する前記手段は、受信中に前記無線アクセスポイントと同期した後に、前記デバイスがパイロット信号を送信しない動作モードに前記デバイスを切り替えるように構成され、
前記動作モードを管理する前記手段は、
ランダム・アクセス要求信号の受信の後に、
又は、
前記接続セットアップ要求の受信の後に、
前記デバイスがパイロット信号を送信しない前記動作モードから前記デバイスを解除するように構成される、デバイス。
【請求項１１】
ユーザ機器との接続セットアップを管理する前記手段は、前記セットアップ要求を開始した前記機器との前記接続セットアップ手順を継続するようにも構成され得る、請求項１０に記載のデバイス。
【請求項１２】
請求項１０又は１１のいずれか１項に記載のデバイスを含む、ホーム・タイプまたは「フェムト」タイプの無線アクセスポイント。
【請求項１３】
請求項１２に記載の無線アクセスポイントを含むＣＰＥ機器。
【請求項１４】
プロセッサに関連するメモリにロードされ得るコンピュータ・プログラムであって、前記プログラムが前記プロセッサによって実行される時に請求項１乃至９のいずれか１項に記載の方法を実施する命令を含むコンピュータ・プログラム。
【請求項１５】
請求項１４に記載のプログラムをその上に記録されたデータ処理媒体。
【発明の詳細な説明】
【技術分野】
【０００１】
本発明は、無線通信ネットワークのアクセス・ネットワーク・インフラストラクチャのアクセス・ポイントの動作を管理することに関する。本発明は、具体的には、無線通信ネットワークのアクセス・ポイントのスタンバイ動作モードを管理することに関する。
【背景技術】
【０００２】
住宅セッティングでのブロードバンド・アクセスという概念の最近の開発は、特に無線アクセスの領域での、この必要を満足するために設計された新しい解決策の出現につながった。集合的に一般名「フェムト」または「住宅用ゲートウェイ（ｒｅｓｉｄｅｎｔｉａｌ  ｇａｔｅｗａｙ）」によって知られる１組の最近の解決策は、特に、住宅ユーザに高速無線伝送へのアクセスを提供する。フェムト解決策は、通常、第３世代無線通信標準規格または同等物に準拠し、対応する無線アクセス・ネットワークのインフラストラクチャ内に挿入される無線インターフェースを提供する。これの一例が、第３世代ＵＭＴＳ（「Ｕｎｉｖｅｒｓａｌ  Ｍｏｂｉｌｅ  Ｔｅｌｅｃｏｍｍｕｎｉｃａｔｉｏｎ  Ｓｙｓｔｅｍ」）標準規格に準拠し、ＵＭＴＳシステムの無線（ｏｖｅｒ−ｔｈｅ−ａｉｒ）インターフェース通信仕様に従う無線インターフェースを介してユーザ機器と通信でき、ＵＭＴＳ無線アクセス・ネットワークとの通信インターフェースを有するフェムト・アクセス・ポイントによって提供される。
【０００３】
フェムト・アクセス・ポイントは、通常、それが関連する無線通信システム、たとえばセルラ無線通信システムの無線インターフェース仕様に従って無線信号を発し、受信することができる、小さいサイズの低電力基地局（または基地局ルータ）からなる。これによって、フェムト・アクセス・ポイントは、室内カバレージだけではなくホーム無線ブロードバンド・アクセス用のホームスケール無線カバレージの手段を提供することによって、前記システムの無線カバレージを拡張することを可能にする。「フェムト」という名称は、一般に、セルラ無線通信システムの「従来の」基地局によって生成される無線セルのサイズと比較して、これらのアクセス・ポイントがセルラ無線通信ネットワークの一部を形成する時に生成する小さいサイズの無線セルを指す。フェムト・アクセス・ポイントは、ＡＤＬＳ回線または有線ネットワーク・インターフェースなどの住宅セッティング内で使用可能なインターフェースと一般に同一タイプのブロードバンド通信インターフェースによって、そのフェムト・アクセス・ポイントが関連するセルラ無線通信システムの無線アクセス・ネットワーク・インフラストラクチャにも接続される。
【先行技術文献】
【非特許文献】
【０００４】
【非特許文献１】３Ｇ  ｔｅｃｈｎｉｃａｌ  ｓｐｅｃｉｆｉｃａｔｉｏｎ  ＴＳ  ２５．３３１、「Ｒａｄｉｏ  Ｒｅｓｏｕｒｃｅ  Ｃｏｎｔｒｏｌ  （ＲＲＣ）」；Ｐｒｏｔｏｃｏｌ  Ｓｐｅｃｉｆｉｃａｔｉｏｎ  （Ｒｅｌｅａｓｅ  ７）”，ｖｅｒｓｉｏｎ  ７．１０．０
【非特許文献２】３Ｇ  ｔｅｃｈｎｉｃａｌ  ｓｐｅｃｉｆｉｃａｔｉｏｎ  ＴＳ  ２５．３０４、ｖｅｒｓｉｏｎ  ３．６．０
【非特許文献３】３Ｇ  ｔｅｃｈｎｉｃａｌ  ｓｐｅｃｉｆｉｃａｔｉｏｎ  ＴＳ  ２５．３２１、ｖｅｒｓｉｏｎ  ７．１０．０
【非特許文献４】３Ｇ  ｔｅｃｈｎｉｃａｌ  ｓｐｅｃｉｆｉｃａｔｉｏｎ  ＴＳ  ２５．２１４、ｖｅｒｓｉｏｎ  ５．４．０、ｓｅｃｔｉｏｎ  ６
【非特許文献５】ｔｅｃｈｎｉｃａｌ  ｓｐｅｃｉｆｉｃａｔｉｏｎ  ３ＧＰＰ  ＴＳ  ２５．２１２、「Ｍｕｌｔｉｐｌｅｘｉｎｇ  ａｎｄ  ｃｈａｎｎｅｌ  ｃｏｄｉｎｇ  （ＦＤＤ）（Ｒｅｌｅａｓｅ  ７）」、ｖｅｒｓｉｏｎ  ７．９．０
【発明の概要】
【発明が解決しようとする課題】
【０００５】
フェムト・アクセス・ポイントは、特に家庭での使用を意図されているので、消費者エレクトロニクスを含むすべての電子機器と共有される、電力消費を制限する必要から免れられない。したがって、アクセス・ポイントが通常動作中より少ない電力を消費するスタンバイ動作モードを定義することが、望ましい。そのようなモードは、さらに、通常モードからスタンバイ・モードへおよびその逆への切替の管理を制御する原理の特徴がある。
【課題を解決するための手段】
【０００６】
これによって、本発明は、無線通信ネットワークのアクセス・ネットワーク・インフラストラクチャの無線アクセス・ポイントの動作を管理する方法であって、アクセス・ネットワーク・インフラストラクチャは、両方が無線インターフェースを介してユーザ機器と通信できる、アクセス・ネットワーク・インフラストラクチャへの第１および第２の無線アクセス・ポイントを含み、第１無線アクセス・ポイントの無線カバレージは、第２無線アクセス・ポイントの無線カバレージ内に少なくとも部分的に含まれ、第１無線アクセス・ポイントは、それがパイロット信号を送信しない動作モードで動作することができる、方法を提供する。第１無線アクセス・ポイントは、その受信を第２無線アクセス・ポイントに同期させ、それがパイロット信号を送信しない動作モードに切り替える。
【０００７】
第１無線アクセス・ポイントの無線カバレージが、第２無線アクセス・ポイントの無線カバレージに実質的に完全に含まれる必要はないが、この状況は、下で一特定の実施形態で示されるように、除外されない。
【０００８】
一実施形態では、第１無線アクセス・ポイントは、ランダム・アクセス要求信号、たとえばユーザ機器によって第２アクセス・ポイントに送信されるランダム・アクセス要求信号の受信の後に、それがパイロット信号を送信していない動作モードから出る。
【０００９】
別の実施形態では、第１無線アクセス・ポイントは、たとえば第２アクセス・ポイント宛であるものとすることができる、接続セットアップ要求の受信の後に、それがパイロット信号を送信していない動作モードから出る。
【００１０】
有利なことに、第１無線アクセス・ポイントは、セットアップ要求を開始した機器との接続セットアップ手順を継続する。
【００１１】
セットアップ要求を開始したユーザ機器は、第１アクセス・ポイントが接続セットアップ手順を遂行することを示すメッセージを受信した時に、第２無線アクセス・ポイントとの接続セットアップ手順を放棄することもできる。そのユーザ機器は、第１アクセス・ポイントとの接続セットアップ手順を継続するか、第１アクセス・ポイントとの新しい接続セットアップ手順を開始することもできる。
【００１２】
一実施形態では、ユーザ機器は、ランダム要求信号および／または接続セットアップ要求を第２無線アクセス・ポイントに送信する前に、その第２アクセス・ポイントを識別する。
【００１３】
第１アクセス・ポイントの「スタンバイ」動作モードは、無線信号送信の停止の特徴があるものとすることができ、これは、第１無線アクセス・ポイントの電力消費をかなり減らすことを可能にする。これは、特に複数のフェムト無線アクセス・ポイントが１つの建物の中に設置される構成で、無線アクセス・ポイント・セルの間の干渉を制限することをも可能にする。この状況では、第１無線アクセス・ポイントがパイロット信号を送信しない動作モードは、第１無線アクセス・ポイントがいかなる信号をも送信しない動作モードであり、第１無線アクセス・ポイントは、このモードで動作することができる。
【００１４】
本発明を、セルラ無線通信ネットワークの非限定的な文脈で、および、第１無線アクセス・ポイントが、ホーム・アクセス・ノードまたは「フェムト」アクセス・ノード内に含まれ、第２無線アクセス・ポイントが、セルラ無線通信ネットワークのアクセス・ネットワーク・インフラストラクチャの基地局内に含まれる状況で、適用することもできる。しかし、本発明を、１つまたは複数のマイクロセル、ピコセル、および／またはマクロセルにサービスする任意の他のタイプのセルラ無線通信ネットワーク無線アクセス・ポイントに適用することもできる。最後に、本発明を、第１無線アクセス・ポイントの無線カバレージが、第２アクセス・ポイントの無線カバレージ内に実質的に完全に含まれる形で構成されたネットワークおよびアクセス・ポイント内で適用することもできる。これは、第１アクセス・ポイントがフェムト・アクセス・ノード内に含まれ、「フェムト」セル（すなわち、住宅セッティング内で無線カバレージを保証することを意図された小さいサイズのセル）にサービスし、第２無線アクセス・ポイントが、１つまたは複数の「マクロ」セルにサービスするセルラ無線通信システムの基地局内に含まれるときに特にあてはまる可能性がある。
【００１５】
本発明のもう１つの態様は、無線通信ネットワークのアクセス・ネットワーク・インフラストラクチャと通信できるデバイスであって、無線通信ネットワークのアクセス・ネットワーク・インフラストラクチャのユーザ機器と無線インターフェースを介して通信する手段と、デバイスがいかなるパイロット信号をも送信しない動作モードへの切替およびその動作モードからの離脱を制御するように構成された動作モードを管理する手段と、受信中に無線通信ネットワークのアクセス・ネットワーク・インフラストラクチャの無線アクセス・ポイントと同期する手段であって、デバイスの無線カバレージは、前記無線アクセス・ポイントの無線カバレージ内に少なくとも部分的に含まれる、手段とを含み、動作モードを管理する前記手段は、受信中に前記無線アクセス・ポイントと同期した後に、デバイスがパイロット信号を送信しない動作モードにデバイスを切り替えるように構成される、デバイスに関する。
【００１６】
一実施形態では、動作モードを管理する前記手段は、ランダム・アクセス要求信号の受信の後に、デバイスがパイロット信号を送信しない動作モードからデバイスを解除するように構成される。
【００１７】
別の実施形態では、デバイスは、ユーザ機器との接続セットアップを管理する手段をさらに含み、動作モードを管理する前記手段は、接続セットアップ要求の受信の後に、デバイスがパイロット信号を送信しない動作モードからデバイスを解除するように構成される。
【００１８】
ユーザ機器との接続セットアップを管理する前記手段は、セットアップ要求を開始した機器との接続セットアップ手順を継続するようにも構成され得る。
【００１９】
この発明的デバイスを、ホームまたは「フェムト」無線アクセス・ポイントに有利に一体化することができ、このホームまたは「フェムト」無線アクセス・ポイント自体を、頭字語ＣＰＥ（「Ｃｕｓｔｏｍｅｒ  Ｐｒｅｍｉｓｅｓ  Ｅｑｕｉｐｍｅｎｔ」）によって指定される、住宅の文脈で使用できる１つの機器に有利に一体化することができる。
【００２０】
本発明は、最後に、プロセッサに関連するメモリにロードされ得るコンピュータ・プログラムであって、前記プログラムがプロセッサによって実行される時に下で定義される方法を実施する命令を含むコンピュータ・プログラム、ならびに前記プログラムがその上に格納されたデータ処理媒体を提案する。
【００２１】
本発明の他の詳細および利点は、添付図面を参照する、非限定的な例の実施形態の下の説明で明白になる。
【図面の簡単な説明】
【００２２】
【図１】ＵＭＴＳシステムを示すアーキテクチャ図である。
【図２】第１の実施形態によるアクセス・ポイントのスタンバイ・モードから出るステップを示す図である。
【図３】第２の実施形態によるアクセス・ポイントのスタンバイ・モードから出るステップを示す図である。
【図４ａ】第３の実施形態によるアクセス・ポイントのスタンバイ・モードから出るステップを示す図である。
【図４ｂ】第３の実施形態によるアクセス・ポイントのスタンバイ・モードから出るステップを示す図である。
【図５】本発明によるデバイスを示す梗概図である。
【発明を実施するための形態】
【００２３】
この説明では、ＦＤＤ（「周波数分割複信」）モードのＵＭＴＳセルラ無線通信ネットワークのアクセス・ネットワーク内に含まれるフェムト・アクセス・ポイントの非限定的なケースを仮定する。
【００２４】
図１は、フェムト・アクセス・ポイントを含むＵＭＴＳタイプのアクセス・ネットワーク・インフラストラクチャを含むセルラ無線通信ネットワークを示す。ＵＭＴＳは、ＵＴＲＡＮ（「ＵＭＴＳ  Ｔｅｒｒｅｓｔｒｉａｌ  Ｒａｄｉｏ  Ａｃｃｅｓｓ  Ｎｅｔｗｏｒｋ」）として知られるそのアクセス・ネットワークが、符号分割多元接続（ＣＤＭＡ）を使用し、送信される記号が、送信される記号の伝送レートより高い伝送レートを有する「チップ」として知られるサンプルからなるスペクトル拡散コードを乗じられることを満足する、無線通信システムである。スペクトル拡散コードは、異なる物理チャネルＰｈＣＨを区別し、このＰｈＣＨは、搬送波周波数によって構成される同一の伝送リソース上でオーバーラップする。スペクトル拡散コードの自己相関特性および相互相関特性は、受信器が、ＰｈＣＨを分離し、それらについて意図された記号を抽出することを可能にする。
【００２５】
ＵＭＴＳセルラ無線通信ネットワークは、回線交換サービスを提供するＭＳＣおよびパケット交換サービスを提供するＳＧＳＮとして知られる相互接続されたスイッチを含むコア・ネットワーク（ＣＮ）１を含む。ＵＭＴＳの場合に一般にＵＴＲＡＮとして知られる無線アクセス・ネットワーク２内では、無線ネットワーク・コントローラＲＮＣ  ３が、コア・ネットワークのスイッチに接続される。各ＲＮＣは、ＵＭＴＳ仕様書で頭字語ＩｕＢによって指定されるインターフェースによって、Ｎｏｄｅ−Ｂとして知られる１つまたは複数の基地局４を監視する。Ｎｏｄｅ−Ｂは、所望の無線カバレージを提供する形で地理的に分散され、各Ｎｏｄｅ−Ｂは、セルラ・サービスが公衆アクセス可能である区域をカバーする１つまたは複数の無線セル７にサービスする。
【００２６】
ダウンリンク（ＵＴＲＡＮからＵＥへ）上のＦＤＤモードのＵＭＴＳについて、主スクランブリング・コードは、各基地局に割り当てられ、その基地局によって使用されるさまざまな物理チャネルは、相互に直交する「チャネリング」チャネルによって区別される。ＰｈＣＨごとに、全体的なスペクトル拡散コードは、基地局の「チャネリング」コードと「スクランブリング」コードとの積である。共有チャネルおよび専用チャネルを含む異なる物理チャネルは、それぞれ１０ｍｓであるフレームが基地局によって使用される搬送波周波数上でお互いに続くフレーム構造を守る。各フレームは、それぞれ６６６μｓの１５個のタイムスロット（または「スロット」）に副分割される。
【００２７】
ダウンリンク方向で共有される異なる物理チャネルの中には、パイロット・チャネル（ＣＰＩＣＨ、「Ｃｏｍｍｏｎ  Ｐｉｌｏｔ  Ｃｈａｎｎｅｌ」）、主制御チャネル（Ｐ−ＣＣＰＣＨ、「Ｐｒｉｍａｒｙ  Ｃｏｍｍｏｎ  Ｃｏｎｔｒｏｌ  Ｐｈｙｓｉｃａｌ  Ｃｈａｎｎｅｌ」）、副制御チャネル（Ｓ−ＣＣＰＣＨ、「Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ」）、および同期チャネル（ＳＣＨ、「Ｓｙｎｃｈｒｏｎｉｓａｔｉｏｎ  Ｃｈａｎｎｅｌ」）がある。同期チャネルは、セルを検索するのに使用され、２つのサブチャネルすなわち、主ＳＣＨチャネルおよび副ＳＣＨチャネルからなる。主ＳＣＨチャネルは、ＰＳＣ（ｐｒｉｍａｒｙ  ｓｙｎｃｈｒｏｎｉｚａｔｉｏｎ  ｃｏｄｅ）からなる１つの同期情報を搬送し、副ＳＣＨチャネルは、１組のＳＳＣ（ｓｅｃｏｎｄａｒｙ  ｓｙｎｃｈｒｏｎｉｚａｔｉｏｎ  ｃｏｄｅ）からなる１つの同期情報を搬送する。
【００２８】
Ｎｏｄｅ−Ｂ  ４の無線カバレージ・エリア内に分布するフェムト・アクセス・ポイント５は、完全ではないとしても、少なくともほとんど完全にＮｏｄｅ−Ｂ  ４によってサービスされる１つまたは複数の無線セルに含まれる小さいサイズの無線カバレージ・エリア６を画定する。フェムト・アクセス・ポイント５の無線カバレージ６は、かなり小さく、通常は約１０ｍ程度である。フェムト・アクセス・ポイント５は、たとえば、独立の機器、好ましくは、住宅セッティング内または、テレビジョン信号デコーダ、ＷｉＦｉアクセス、イーサネット・アクセス、ＡＤＳＬモデムなどをさらに含む機器の「ゲートウェイ」部分内のオンボード無線アクセス・モジュールにインストールされることを意図された小フォーム・ファクタを有するものからなるものとすることができる。当該の非限定的な例では、ＵＴＲＡＮ無線アクセス・ネットワーク２のフェムト・アクセス・ポイント５の無線カバレージは、小さいサイズのセル、たとえば、その寸法が住居をカバーすることを可能にするセルでもある。一般に「フェムトセル」として知られるフェムト・アクセス・ポイントのセル６は、通常は、「マクロセル」として一般に知られるＮｏｄｅ−Ｂ  ４の１つまたは複数のセル７内に完全にまたはほぼ完全にのいずれかで囲まれる。
【００２９】
ＢＴＳ  ４およびフェムト・アクセス・ポイント５は、無線通信インターフェース上で、ＵＭＴＳシステムの対応する仕様によればＵＥ（「ユーザ機器」）としても知られる移動局８、８ａと通信することができる。それを行うために、フェムト・アクセス・ポイント５は、無線送信モジュールおよび無線受信モジュールを含む。
【００３０】
フェムト・アクセス・ポイント５は、さらに、ＩＰルータ９による、インターネット６への、ＤＳＬインターフェースを使用するものなどの高速伝送回線を含む。これは、フェムト・アクセス・ポイント５のネットワーク全体をＵＴＲＡＮインフラストラクチャ２およびコア・ネットワーク１の残りと接続することを可能にする。
【００３１】
各ＵＥ  ８、８ａは、ＲＮＣ内およびＵＥ内で実施される無線リソース制御（ＲＲＣ）プロトコルによって管理されるＵＴＲＡＮとの１つまたは複数のリンク状態にあるものとすることができる（３ＧＰＰ（３ｒｄ  Ｇｅｎｅｒａｔｉｏｎ  Ｐａｒｔｎｅｒｓｈｉｐ  Ｐｒｏｊｅｃｔ）によって２００８年９月に刊行された３Ｇ  ｔｅｃｈｎｉｃａｌ  ｓｐｅｃｉｆｉｃａｔｉｏｎ  ＴＳ  ２５．３３１、「Ｒａｄｉｏ  Ｒｅｓｏｕｒｃｅ  Ｃｏｎｔｒｏｌ  （ＲＲＣ）」；Ｐｒｏｔｏｃｏｌ  Ｓｐｅｃｉｆｉｃａｔｉｏｎ  （Ｒｅｌｅａｓｅ  ７）”，ｖｅｒｓｉｏｎ  ７．１０．０のｓｅｃｔｉｏｎ  ７を参照されたい）。これらの状態の一部では、ＵＥは、無線通信システムとアクティブ接続しており、これは、特に、ＵＥが、進行中の通信に関連する無線信号を基地局に送信できることを意味する。
【００３２】
ＵＥが、パワー・オンされ、ＵＴＲＡＮとの進行中の通信を全く有することなく選択されたセル内にある時に、そのＵＥは、スタンバイ状態にある。初期セル選択プロセスおよびセル再選択プロセスは、３ＧＰＰによって２００１年３月に刊行された３Ｇ  ｔｅｃｈｎｉｃａｌ  ｓｐｅｃｉｆｉｃａｔｉｏｎ  ＴＳ  ２５．３０４、ｖｅｒｓｉｏｎ  ３．６．０のｓｅｃｔｉｏｎ  ５．２に記載されている。このスタンバイ状態では、セルを選択した後に、ＵＥは、選択されたセル基地局によってブロードキャスト・チャネル（ＢＣＨ）上で放たれたシステム情報を受信する（前述のｔｅｃｈｎｉｃａｌ  ｓｐｅｃｉｆｉｃａｔｉｏｎ  ３Ｇ  ＴＳ  ２５．３３１、ｓｅｃｔｉｏｎ  ８．１．１を参照されたい）。このシステム情報は、アップリンク方向（ＵＥからＵＴＲＡＮへ）のアクセス制御情報ならびに物理層でのランダム・アクセス手順に関連する情報を含む。ＢＣＨでブロードキャストされる制御情報は、物理チャネルＰ−ＣＣＰＣＨによって搬送される。
【００３３】
フェムト・アクセス・ポイント５は、いわゆるスタンバイ・モードで動作することができ、このスタンバイ・モードでは、フェムト・アクセス・ポイント５はパイロット信号を放たない。別の実施形態では、フェムト・アクセス・ポイント５が、もはや対応する信号をダウンリンク方向でその共有物理チャネルに放っていないことを実現することができる。最後に、フェムト・アクセス・ポイント５の無線送信モジュールが、アクセス・ポイントがスタンバイ・モードである時に完全にインアクティブであり、もはや信号を送信しておらず、特にパイロット信号をそれ以上送信していないことを実現することもできる。この３つの状況では、Ｎｏｄｅ−Ｂ  ４ａのマクロセル６のカバレージ・エリア内およびフェムト・アクセス・ポイント５ａのフェムトセル内に配置されたＵＥ  ８は、フェムト・アクセス・ポイント５によってＵＴＲＡＮネットワーク２にアクセスすることができない。しかし、Ｎｏｄｅ−Ｂ  ４ａによって送信された信号すなわち同期信号を含む信号から受信された情報のおかげで、そのＵＥ  ８は、ＵＴＲＡＮネットワーク２にアクセスすることができる。
【００３４】
フェムト・アクセス・ポイント５は、動作モードを管理するモジュールをさらに含み、このモジュールは、スタンバイ動作モードにどのように切り替えるべきなのか、およびそのモードからどのように出るべきなのかを決定する。スタンバイ・モードに切り替える前に、フェムト・アクセス・ポイント５ａは、Ｎｏｄｅ−Ｂ  ４ａからの受信中に同期し、このＮｏｄｅ−Ｂ  ４ａは、Ｎｏｄｅ−Ｂのうちで、そのカバレージ・エリア内にフェムト・アクセス・ポイント５ａが配置されているマクロセル７にサービスするＮｏｄｅ−Ｂである。受信中のこの同期は、Ｎｏｄｅ−Ｂ  ４ａのための無線カバレージ６内に含まれるユーザ機器によって行われるすべてのアクセス要求をフェムト・アクセス・ポイント５ａがインターセプトすることを可能にするために、Ｎｏｄｅ−Ｂ  ４ａから受信パラメータを獲得することを含む。ＵＭＴＳネットワークの非限定的な例に基づく現在の説明の文脈では、同期は、ユーザ機器がパワー・オンされて初期セルを検索する時にそのユーザ機器によって実施される３フェーズ手順３に従って行うことができる。第１フェーズでは、フェムト・アクセス・ポイント５ａは、スロット・レベルで同期するためにセル７の主ＳＣＨチャネルの特性を使用する。第２フェーズでは、フェムト・アクセス・ポイント５ａは、フレーム・レベルで同期するためにセル７の副ＳＣＨチャネルの特性を使用し、第３フェーズでは、フェムト・アクセス・ポイント５ａは、セル７のＣＰＩＣＨチャネルからその主スクランブリング・コードを演繹するために、セル７のＣＰＩＣＨチャネルの特性を使用する。
【００３５】
フェムト・アクセス・ポイント５ａは、セル７のＰ−ＣＣＰＣＨチャネルでブロードキャストされるシステム情報にアクセスし、特に呼を確立する時にユーザ機器が使用しなければならない共有チャネルの構造にアクセスするために、この主スクランブリング・コードを使用する。
【００３６】
通信を初期化するために、またはより一般的にスタンバイ・モードでＵＴＲＡＮに情報を送信するために、ＵＥ  ８ａは、ＰＲＡＣＨ（「Ｐｈｙｓｉｃａｌ  Ｒａｎｄｏｍ  Ａｃｃｅｓｓ  Ｃｈａｎｎｅｌ（物理ランダム・アクセス・チャネル）」）として知られる共有チャネル上で選択された基地局にランダム・アクセス要求信号を送信する。
【００３７】
このランダム・アクセス手順は、媒体アクセス制御層ＭＡＣ（３ＧＰＰによって２００８年９月に刊行された３Ｇ  ｔｅｃｈｎｉｃａｌ  ｓｐｅｃｉｆｉｃａｔｉｏｎ  ＴＳ  ２５．３２１、ｖｅｒｓｉｏｎ  ７．１０．０のｓｅｃｔｉｏｎ  １１．２を参照されたい）およびＲＲＣ層の制御の下で、物理層によって実行される（３Ｇ  ｔｅｃｈｎｉｃａｌ  ｓｐｅｃｉｆｉｃａｔｉｏｎ  ＴＳ  ２５．２１４、ｖｅｒｓｉｏｎ  ５．４．０、ｓｅｃｔｉｏｎ  ６を参照されたい。
【００３８】
したがって、ＵＥ  ８ａが、通信を開始すること、またはより一般的にＵＴＲＡＮ  ２に情報を送信することを望む時に、ＵＥ  ８ａは、ＵＴＲＡＮ  ２へのランダム・アクセスを実行し、このランダム・アクセスは、Ｎｏｄｅ−Ｂ  ４ａによって受信される。アクセス認可を受信した後に、ＵＥ  ８ａは、無線リソース制御  ＲＲＣ  ＵＭＴＳプロトコルの仕様に従って、接続セットアップ要求をＮｏｄｅ−Ｂ  ４ａに送信する。この接続セットアップ要求は、その特性が前述の３Ｇ  ｔｅｃｈｎｉｃａｌ  ｓｐｅｃｉｆｉｃａｔｉｏｎ  ＴＳ  ２５．３３１に記載されているＲＲＣプロトコルのメッセージ（メッセージＲＲＣ−ＣＮＸ−ＲＥＱ（ｍａｃｒｏ＿ｉｄ））によって搬送される。
【００３９】
ＵＥ  ８ａが、フェムト・アクセス・ポイント５ａの無線カバレージ内にある時には、フェムト・アクセス・ポイント５ａが、スタンバイ・モードに切り替える前にその受信をＮｏｄｅ−Ｂ  ４ａと同期させるという事実のおかげで、フェムト・アクセス・ポイント５ａは、ＵＥ  ８ａによってＵＴＲＡＮ  ２に送信されたランダム・アクセス要求、特にＵＥ  ８ａによって送信されたＲＲＣ接続セットアップ要求メッセージＲＲＣ−ＣＮＸ−ＲＥＱ（ｍａｃｒｏ＿ｉｄ）をインターセプトすることができ、それに反応することができる。
【００４０】
第１の実施形態では、フェムト・アクセス・ポイント５ａは、ＵＴＲＡＮ  ２に送信されたＵＥ  ８ａからのランダム・アクセスの試みをインターセプトするや否や、スタンバイ・モードから出る。ランダム・アクセス要求信号がインターセプトされた後に、または接続セットアップ要求メッセージがインターセプトされされた時に、スタンバイ・モードから出ることができ、このランダム・アクセス要求信号および接続セットアップ要求メッセージは、その無線カバレージ・エリア内に配置されたユーザ機器から来る。この２つの状況は、フェムト・アクセス・ポイント５ａによって受信され、それがスタンバイ・モードから出ることをトリガし、したがって「ウェイクアップ」メッセージとして解釈されるメッセージの例を構成する。スタンバイ・モードからの離脱は、スタンバイ・モードが強要された時にその送信が中断された信号／チャネルの再開された送信を含まなければならない。これは、フェムト・アクセス・ポイントの無線モジュールによる送信の再開、または上で説明した他の状況ではパイロット・チャネルもしくはダウンリンク方向での共有物理チャネルに対応するすべての信号の送信を再開することとすることができる。
【００４１】
１つの変形形態では、フェムト・アクセス・ポイント５ａは、そのようなウェイクアップ・メッセージがそこから発したＵＥ  ８ａがそのフェムト・アクセス・ポイント５ａについて認可されたユーザ機器の事前定義の組に属するユーザ機器のうちの１つであることをチェックした後になるまで、スタンバイ・モードから出ない。
【００４２】
図２ａに、この第１の実施形態によるスタンバイ・モードから出る方法のさまざまなステップを示す。ユーザ機器５０は、それがその中にあることがわかったカバレージ・エリア内のマクロセルにサービスする基地局５２にランダム・アクセス要求信号（ＲＡＣＨ）を送信する。このランダム・アクセス要求信号は、当初に基地局５２に送信されるが、フェムト・アクセス・ポイント５１がスタンバイ・モードである場合であっても、フェムト・アクセス・ポイント５１によってインターセプトされる。フェムト・アクセス・ポイント５１が、スタンバイ・モードに切り替える前に、その受信を基地局５２に同期させていることに留意されたい。当初に基地局５２に送信されたランダム・アクセス要求信号のインターセプトの時に、フェムト・アクセス・ポイント５１は、スタンバイ・モードから出る（５５）。
【００４３】
図２ｂに、上で説明した方法の一変形形態を示すが、ここでは、フェムト・アクセス・ポイントは、接続オープン要求メッセージの受信（５６）の後にのみ、スタンバイ・モードから出る（５７）。
【００４４】
第２の実施形態では、フェムト・アクセス・ポイント５ａは、ＵＥ  ８ａからＮｏｄｅ−Ｂ  ４ａへのアクセス要求に応答する。ＵＭＴＳシステムの例である現在の説明のために選択された例では、フェムト・アクセス・ポイント５ａからの応答は、たとえば、前記フェムト・アクセス・ポイント５ａによって、ＲＲＣプロトコルの仕様に従って前記ＲＲＣ接続セットアップ要求に対する応答メッセージを送信することを含むことができる。ＣＮＸ−ＲＥＳＰタイプのこのＲＲＣ応答メッセージは、ＲＲＣ接続要求メッセージと同様に、セル識別子を含み、このセル識別子は、これらの状況では、Ｎｏｄｅ−Ｂ  ４ａに対応するマクロセル７のセル識別子またはフェムト・アクセス・ポイント５ａに対応するフェムトセル６のセル識別子とすることができる。
【００４５】
ＵＥ  ８ａが、Ｎｏｄｅ−Ｂ  ４ａから来る応答の前に、フェムト・アクセス・ポイント５ａから来る、そのアクセス要求への応答を受信する場合には、ＵＥ  ８ａは、フェムト・アクセス・ポイント５ａからの応答の後に到着するＮｏｄｅ−Ｂ  ４ａから来る応答を無視することができる。この状況では、ＵＥ  ８ａは、「圧縮モード（ｃｏｍｐｒｅｓｓｅｄ  ｍｏｄｅ）」として知られるモードで動作し、この圧縮モードでは、ＵＥ  ８ａは、フェムト・アクセス・ポイント５ａのフェムト・セルから来る情報ならびにＮｏｄｅ−Ｂ  ４ａのマクロセルから来る情報をリスンする。「圧縮モード」は、仕様２５．２１２に記載されている（３ＧＰＰによって２００８年９月に刊行されたｔｅｃｈｎｉｃａｌ  ｓｐｅｃｉｆｉｃａｔｉｏｎ  ３ＧＰＰ  ＴＳ  ２５．２１２、「Ｍｕｌｔｉｐｌｅｘｉｎｇ  ａｎｄ  ｃｈａｎｎｅｌ  ｃｏｄｉｎｇ  （ＦＤＤ）（Ｒｅｌｅａｓｅ  ７）」、ｖｅｒｓｉｏｎ  ７．９．０のｓｅｃｔｉｏｎ  ４．４を参照されたい。
【００４６】
逆に、ＵＥ  ８ａが、Ｎｏｄｅ−Ｂ  ４ａからの応答の後にフェムト・アクセス・ポイント５ａから来るそのアクセス要求に対する応答を受信する場合には、ＵＥ  ８ａは、Ｎｏｄｅ−Ｂ  ４ａからの応答の後にそれに到達したフェムト・アクセス・ポイント５ａから来る応答を無視することができる。
【００４７】
この状況の両方で、フェムト・アクセス・ポイント５ａは、ＵＥ  ８ａが当初にＮｏｄｅ−Ｂ  ４ａに送信した接続セットアップ要求を受信した後に、スタンバイ・モードから解除される。
【００４８】
図３ａは、この第２の実施形態によるスタンバイ・モードから出る方法のさまざまなステップを示す。ユーザ機器２０は、とりわけ、それがその中に配置されているカバレージ・エリア内のマクロセルの識別子（これは、そのセルにサービスする基地局２２の識別子とすることもできる）を含む接続オープン要求メッセージＣＮＸ＿ＲＥＱ（ｍａｃｒｏ＿ｉｄ）を送信する２３。この接続オープン要求メッセージは、当初は基地局２２宛であるが、フェムト・アクセス・ポイント２１がスタンバイ・モードである場合であっても、フェムト・アクセス・ポイント２１によってインターセプトされる。フェムト・アクセス・ポイント２１が、スタンバイ・モードに切り替える前に受信において基地局２２に同期されるようになったことに留意されたい。ステップ２４では、基地局２２は、ステップ２３中に送信された接続オープン要求メッセージへの応答を送信する。この応答メッセージＣＮＸ＿ＲＥＳＰ（ｍａｃｒｏ＿ｉｄ）は、とりわけ、セルまたは基地局２２の識別子を含む。ステップ２５では、基地局の２４フェムト・アクセス・ポイント２１が、ステップ２３中に送信された接続オープン要求メッセージへの応答を送信する。このＣＮＸ＿ＲＥＳＰ（ｆｅｍｔｏ＿ｉｄ）応答メッセージは、とりわけ、フェムトセルまたはフェムト・アクセス・ポイント２１の識別子を含む。ユーザ機器２０が、フェムト・アクセス・ポイントから応答を受信した後に、ユーザ機器２０は、その手順に関連するメッセージを送信し続けないことによって、基地局２２との接続セットアップ手順を放棄することを選択することができる、すなわち、図３ａに示されているステップ（２６）。しかし、ユーザ機器２０は、当初に基地局２２と共に開始された接続セットアップ手順を、その同一の局ではなくフェムト・アクセス・ポイント２１と共に継続する。したがって、ステップ２７で、ユーザ機器２０は、フェムト・アクセス・ポイント２１との接続のセットアップを確認するために、もはや基地局２２またはその基地局がサービスするマクロセルのうちの１つに関連する識別子ではなくフェムト・アクセス・ポイント２１に関連する識別子を含むメッセージであるＣＮＸ＿ＣＯＭＰＬＥＴＥ（ｆｅｍｔｏ＿ｉｄ）接続セットアップ・メッセージをフェムト・アクセス・ポイント２１に送信する。
【００４９】
図３ｂに示された一変形形態では、ユーザ機器２０は、当初に基地局２２と共に開始された接続セットアップ手順を継続するのではなく、フェムト・アクセス・ポイント２１と共に新しい接続セットアップ手順を開始する。したがって、ステップ２７ｂ中に、ユーザ機器２０は、ＣＮＸ＿ＲＥＱ（ｆｅｍｔｏ＿ｉｄ）接続セットアップ要求メッセージをフェムト・アクセス・ポイント２１に送信する。このメッセージは、基地局２２との初期接続要求（２３ｂ）に対する応答メッセージの受信（２５ｂ）の結果として、ユーザ機器が、フェムト・アクセス・ポイント２１がスタンバイ・モードから出たことを知らされた後に、フェムト・アクセス・ポイントとの接続セットアップ手順を起動する。
【００５０】
初期接続セットアップ要求メッセージ２３に対する基地局２２の応答が受信されるまでの時間の長さまたは基地局２２からの応答の受信の失敗さえもが、ユーザ機器２０が当初に基地局２２にアドレッシングされたそのユーザ機器２０のメッセージに対する応答を受信したならば、説明される手順の残りに影響しないことにも留意されたい。この応答は、ユーザ機器２０がその接続セットアップ要求メッセージ２３を送信した時に、フェムト・アクセス・ポイント２１がスタンバイ・モードであった場合に、フェムト・アクセス・ポイント２１がそのスタンバイ・モードから出たことを知らせる。
【００５１】
第３の実施形態では、我々は、フェムト・アクセス・ポイント５ａに関連する、｛ＵＥｉ｝と略記されるＵＥの集合を検討する。たとえば、これは、フェムト・アクセス・ポイント５ａの認可されたユーザの集合のユーザ機器とすることができ、これは、フェムト・アクセス・ポイント５ａを使用することを許可されるユーザ機器を意味する。この認可は、永久的または、使い棄ての必要を満足するために一時的とすることができる。ユーザ機器｛ＵＥｉ｝は、フェムト・アクセス・ポイント５ａの識別子およびフェムト・アクセス・ポイント５ａがそのカバレージ・エリア内に配置されるＮｏｄｅ−Ｂ  ４ａによってサービスされるマクロセル７の識別子を有する。たとえば、ユーザが彼または彼女の家庭のためにフェムト・アクセス・ポイント５ａを購入したかリースした住宅使用の場合に、彼または彼女のユーザ機器ＵＥｋ  ８ａは、フェムト・アクセス・ポイント５ａの識別子（Ｉｄ＿Ｆｅｍｔｏ＿５ａ）およびＮｏｄｅ−Ｂ  ４ａによってサービスされるマクロセル７の識別子（Ｉｄ＿Ｃｅｌｌ＿Ｍａｃｒｏ＿ＮｏｄｅＢ４ａ）を有する。
【００５２】
ユーザ機器ＵＥｋ  ８ａは、ブロードキャスト・セル識別子を「その」マクロセル７の識別子（Ｉｄ＿Ｃｅｌｌ＿Ｍａｃｒｏ＿ＮｏｄｅＢ４ａ）と比較するために、マクロセル識別子を含む、そのユーザ機器ＵＥｋ  ８ａがその無線カバレージ・エリア内に配置されている基地局によってブロードキャストされたパイロット・チャネル上で受信されたデータを使用する。
【００５３】
ユーザ機器ＵＥｋ  ８ａは、それがそのカバレージ・エリア内に配置されているマクロセルが「その」マクロセル（それが関連するフェムト・アクセス・ポイント５ａがそのカバレージ・エリア内に配置されているマクロセル７を意味する）であることと、ユーザ機器ＵＥｋ  ８ａがフェムト・アクセス・ポイント５ａからパイロット信号を受信していないこととを認識した後に、ランダム・アクセス要求信号（ランダム・アクセスが許可される場合に潜在的に接続セットアップ・メッセージが続く）を、「その」マクロセル７にサービスするＮｏｄｅ−Ｂ  ４ａに送信することができる。このメッセージは、フェムト・アクセス・ポイント５ａによってインターセプトされる場合に、上で説明した方法の異なる変形形態において上で説明した方法に従ってそのフェムト・アクセス・ポイント５ａ用のスタンバイ・モード脱出要求メッセージとして働く。
【００５４】
この手順は、図４によって示される。第１ステップ３０では、ユーザ機器は、それがそのカバレージ・エリア内に配置されているマクロセルが実際に「それ」自体のマクロセルであるかどうかを知るために、テストを行う。この作業は、それがそのカバレージ・エリア内に配置されているマクロセルの識別子「ｃｕｒｒｅｎｔ＿ｃｅｌｌ＿ｉｄ」と「その」マクロセルのセル識別子「ｈｏｍｅ＿ｍａｃｒｏ＿ｉｄ」との間の比較を含むことができる。次のステップ３１は、前のステップが肯定である（ユーザ機器が「その」マクロセルの無線カバレージ・エリア内に配置されていることをユーザ機器が認識する場合を意味する）場合に行われる。そうではない場合には、たとえば周期的に、前のテストが繰り返される。ステップ３１中には、ユーザ機器は、「その」フェムト・アクセス・ポイントのパイロット信号の存在をテストする。ユーザ機器が、そのポイントのパイロット信号を受信する場合には、これは、そのポイントがスタンバイ・モードではないことを意味する。これが発生する場合には、フェムト・アクセス・ポイントをスタンバイ・モードから解除する手順を継続する理由はない（ステップ３２）。そうではない場合には、ユーザ機器が、スタンバイ・モードであるそのフェムト・アクセス・ポイントのカバレージ・エリア内にある場合があり、あるいは、ユーザ機器が、スタンバイ・モードであってもなくてもよいそのフェムト・アクセス・ポイントの無線カバレージ・エリアの外部にある場合がある。ステップ３３中に、ユーザ機器は、「その」マクロセルに接続セットアップ要求メッセージを送信する。ステップ３４中に、ユーザ機器は、「その」フェムト・アクセス・ポイントが受信しつつあるか否かをテストする。そのフェムト・アクセス・ポイントが応答する場合には（ステップ３５）、ユーザ機器は、たとえば上で説明した手順のうちの１つに従って、そのフェムト・アクセス・ポイントとの接続のセットアップを実行することができる。フェムト・アクセス・ポイントからの応答がない場合には（ステップ３６）、ユーザ機器は、「その」マクロセルとの接続セットアップ手順を継続することができる。
【００５５】
ステップ３３中に、ユーザ機器ＵＥｋは、一変形形態で、「その」マクロセルにサービスするＮｏｄｅ−Ｂではなく、「その」フェムト・アクセス・ポイントに接続セットアップ要求を送信することもできる。
【００５６】
図４ｂは、上で説明した方法の一変形形態を示し、ここで、ステップ３０ａ、３１ａ、および３２ａは、ステップ３０、３１、および３２と同一である。ステップ３３ａ中に、ユーザ機器は、「その」マクロセルにランダム・アクセス要求信号を送信する。ステップ３４中に、ユーザ機器は、「その」フェムト・アクセス・ポイントが存在するか否かをテストする。そのフェムト・アクセス・ポイントがスタンバイ・モードから出ている場合には、そのフェムト・アクセス・ポイントは、その同期信号およびそのパイロット信号を含む制御信号のすべてを送信し、これによって、ユーザ機器が、そのフェムト・アクセス・ポイントがスタンバイ・モードであるか否かを検出することを可能にする。この状況では（ステップ３５ａ）、ユーザ機器は、たとえば上で説明した手順のうちの１つに従って、そのフェムト・アクセス・ポイントとの接続のセットアップを実行することができる。フェムト・アクセス・ポイントからの応答がない場合には（ステップ３６ａ）、ユーザ機器は、「その」マクロセルとの接続セットアップ手順を開始することができる。
【００５７】
本発明の範囲から逸脱せずに、ユーザ機器がその無線カバレージ・エリア内に配置されているマクロセルが所定のセルに対応するかどうかを判定するために、ユーザ機器がそのマクロセルを識別することを可能にする、上で説明した手順が、さらに、その所定のセルを認証する手順を有利に含むことができることに留意されたい。
【００５８】
図５は、発明的デバイスの例の実施形態を概略的に示す。デバイス４０は、それを介してデバイス４０が無線通信ネットワークのアクセス・ネットワーク・インフラストラクチャと通信するネットワーク・インターフェース（ＴＣＰ／ＩＰ）４１、無線モジュール４２、および処理モジュール４４を含む。コントローラ４５は、デバイス４０の動作、具体的には無線モジュール４２および処理モジュール４４の動作、ならびに外部インターフェース４１を介するデータ交換を監視する。無線モジュール４２は、無線（ｏｖｅｒ−ｔｈｅ−ａｉｒ）インターフェース上でのユーザ機器（ＵＥ）との通信のために送受切替器４７によってアンテナ手段４３にも接続される。無線モジュール４２は、アンテナ４３によって取り込まれた無線信号を受け取り、それらをより低い周波数に入れ換える無線ステージを含む。その後、受信された信号は、本質的に既知の形で処理されるために（再フォーマッティング・フィルタおよびアナログ−ディジタル変換）、無線モジュール４２の受信モジュール（この図には図示せず）に送られる。無線モジュール４２に接続されたモジュール４４は、無線通信ネットワークのアクセス・ネットワークの無線アクセス・ポイントのブロードキャスト・チャネルからの復号された情報を処理し、この情報は、デバイス４０を受信中に前記インフラストラクチャの無線アクセス・ポイントと同期させることを可能にする。
【００５９】
デバイス４０は、送受切替器４７およびアンテナ手段４３を介して動作する無線信号送信モジュール４６をさらに含む。コントローラは、その送信モジュール４６の動作を監視する。一方、スタンバイ・モード管理モジュール４８は、スタンバイ・モードへの切替および前記モードからの離脱を監視する。スタンバイ・モードに切り替えるプロセスがトリガされる時に、モジュール４８は、コントローラ４５を介して、デバイス４０に受信中に無線通信ネットワークのアクセス・ネットワーク・インフラストラクチャの無線アクセス・ポイントと同期させるようにモジュール４２および４４に指令する。受信中の同期が実行された後に、モジュール４８は、コントローラ４５を介して、送信モジュール４６に、パイロット信号の送信に割り込むか、少なくとも一時的にそのモジュールの動作に割り込み、すべての送信を停止するように指令する。
【図１】
0005319786.tif 000002
【図２】
0005319786.tif 000003
【図３】
0005319786.tif 000004
【図４ａ】
0005319786.tif 000005
【図４ｂ】
0005319786.tif 000006
【図５】
0005319786.tif 000007